(57)【特許請求の範囲】
【請求項１】
電源電圧によりプルアップされた第１及び第２の検出端子と、
第１、第２、及び第３の接点を有し、ドアが開状態のときは第１接点に第２接点のみが接続され、ドアが閉状態のときは第１接点に第３接点のみが接続されるように構成されたドアスイッチと、
前記第２の接点に接続された配線と前記第１の検出端子に接続された配線とを接続し、前記第３の接点に接続された配線と前記第２の検出端子に接続された配線とを接続し、かつ前記第１の接点に接続された配線と接地電圧が与えられた配線とを接続するための３端子コネクタと、
前記第１の検出端子が接地電圧でありかつ前記第２の検出端子が電源電圧となっているときドアは開状態と判定し、
前記第１の検出端子が電源電圧でありかつ前記第２の検出端子が接地電圧となっているときドアは閉状態と判定し、
前記第１の検出端子が電源電圧でありかつ前記第２の検出端子が電源電圧となっているとき前記コネクタが未接続と判定する判定手段と、
を備えたことを特徴とするドアアラーム検出回路
【発明の詳細な説明】
【０００１】
【発明の属する技術分野】
本発明は、ドアアラーム検出回路に係り、とくに無人で運用される装置に取り付けられたドアの開閉を検出するのに適したドアアラーム検出回路に関するものである。
【０００２】
【従来の技術】
無線基地局と電波不感地帯との間の電波の中継を行う光伝送装置には、ドアアラーム検出用のスイッチが取り付けられており、装置上面の扉の開閉を検出できるようになっている。このドア開閉の検出により、装置が無断で操作されたかを監視している。また光伝送装置は屋外に設置される場合があるので、ドアが開放状態となり装置内部が直接外気にさらされていないかどうかを監視することにも使用されている。
【０００３】
従来のドアアラーム検出回路を図２に示す。制御部１には、アラームポート１１があり、電圧Ｖｃｃにより抵抗を介しプルアップされている。アラームポート１１はコネクタ２を介してドアスイッチ３に接続される。コネクタ２は基板コネクタ２１とドアスイッチケーブルコネクタ２２にわかれ、ドアスイッチ３には、ＮＣ接点３１、ＣＯＭ接点３２、ＮＯ接点３３がある。アラームポート１１は、基板コネクタ２１、ドアスイッチケーブルコネクタ２２を介してＮＣ接点３１と接続されている。ＣＯＭ接点３２は、ドアスイッチケーブルコネクタ２２、基板コネクタ２１を介して接地されている。ドアスイッチ３は光伝送装置の上部のドアに設置されていて、ドアが開かれていると、ドアスイッチ３のＮＣ接点３１とＣＯＭ接点３２がショートされるように取り付けられている。ドアの開閉状態は制御部１のアラームポート１１の電圧がＶｃｃであるか接地電圧であるかを検出することで行う。すなわち、ドアが閉じられているとＣＯＭ接点３２とＮＣ接点３１はオープン（ドアスイッチ３の接点の図で点線の状態）であるので、アラームポート１１はＶｃｃの電圧を示している。もしドアが開かれるとＣＯＭ接点３２とＮＣ接点３１はショートされるので（ドアスイッチ３の接点の図で実線の状態）、ＮＣ接点３１は接地され、アラームポート１１の電位は接地電圧となる。すなわち、制御部１ではアラームポート１１が高電位（Ｖｃｃの電圧）ならドアは閉じられ、低電位（接地電圧）ならドアは開かれていると判定する。
【０００４】
【発明が解決しようとする課題】
図２の構成で、ドアの開閉の検出を行うことが可能であるが、ドアスイッチ３はコネクタ２を介して制御部１と接続されているため、コネクタ２の基板コネクタ２１とドアスイッチケーブルコネクタ２２が接続されていないと誤検出が生じる。すなわち、基板コネクタ２１とドアスイッチケーブルコネクタ２２が切り離されていると、ドアが開けられＮＣ接点３１とＣＯＭ接点３２がショートされていたとしても、アラームポート１１の電位は接地電圧とならないため、制御部１ではドアが開かれていると判断してしまう問題があった。
【０００５】
本発明の目的は、コネクタ２で基板コネクタ２１とドアスイッチケーブルコネクタ２２が接続されていないと、光伝送装置のドアが開けられていても閉じられていると誤ってしまう問題を解決し、ドアの開閉状態及び、コネクタの未接続の状態をともに正しく検出できるドアアラーム検出回路を提供することにある。
【０００６】
【課題を解決するための手段】
上記の目的を達成するために、本発明は、電源電圧によりプルアップされた第１及び第２の検出端子と、
第１、第２、及び第３の接点を有し、ドアが開状態のときは第１接点に第２接点のみが接続され、ドアが閉状態のときは第１接点に第３接点のみが接続されるように構成されたドアスイッチと、
前記第２の接点に接続された配線と前記第１の検出端子に接続された配線とを接続し、前記第３の接点に接続された配線と前記第２の検出端子に接続された配線とを接続し、かつ前記第１の接点に接続された配線と接地電圧が与えられた配線とを接続するための３端子コネクタと、
前記第１の検出端子が接地電圧でありかつ前記第２の検出端子が電源電圧となっているときドアは開状態と判定し、
前記第１の検出端子が電源電圧でありかつ前記第２の検出端子が接地電圧となっているときドアは閉状態と判定し、
前記第１の検出端子が電源電圧でありかつ前記第２の検出端子が電源電圧となっているとき前記コネクタが未接続と判定する判定手段と、
を備えたことを特徴とするドアアラーム検出回路を提供する。
【０００７】
【発明の実施の形態】
図１は、本発明のドアアラーム検出回路の構成例を示すもので、基本構成は、従来のシステムである図２の構成を踏襲しており、図１で、図２と同一の回路には同一の符号を付している。図１において、制御部１にはアラームポート１１とアラームポート１２を設け、それぞれ電圧Ｖｃｃから抵抗を介してプルアップされている。アラームポート１１からの線は、３回線コネクタであるコネクタ２の基板コネクタ２１、ドアスイッチケーブルコネクタ２２の１回線を経由し、光伝送装置のドアに取り付けられたドアスイッチ３のＮＣ接点３１に接続されている。アラームポート１２は、コネクタ２の基板コネクタ２１、ドアスイッチケーブルコネクタ２２の他の回線を経由し、ドアスイッチ３のＮＯ接点３３に接続されている。またドアスイッチ３のＣＯＭ接点３２は、ドアスイッチケーブルコネクタ２２、基板コネクタ２１の残りの１回線に接続され、基板コネクタ２１側で接地されている。
【０００８】
ドアスイッチ３の接点とドアの開閉の対応の図を図３に示す。図３ではＮＣ接点３１を単にＮＣ、ＣＯＭ接点３２をＣＯＭ、ＮＯ接点３３をＮＯと記述している。図３に示すようにドアが開いているときは、ＮＣ接点３１とＣＯＭ接点３２がショートし、ＮＯ接点３３とＣＯＭ接点３２はオープンである（図１のドアスイッチ３の接点の図で実線で示す）。ドアが閉じられているときは、ＮＣ接点３１とＣＯＭ接点３２がオープンで、ＮＯ接点３３とＣＯＭ接点３２がショートされている（図１のドアスイッチ３の接点の図で点線で示す）。
【０００９】
図１で、コネクタ２が正常に接続されており、光伝送装置のドアが開かれているときは、ドアスイッチ３のＮＣ接点３１とＣＯＭ接点３２がショートされるので、ＮＣ接点３１と接続されているアラームポート１１の電圧は接地電圧となり低電位（Ｌ）である。このときＮＯ接点３３とＣＯＭ接点３２はオープンであるので、ＮＯ接点３３と接続されているアラームポート１２の電圧はＶｃｃとなり高電位（Ｈ）である。一方ドアが閉じられているときは、ＮＣ接点３１とＣＯＭ接点３２はオープンであるので、ＮＣ接点３１と接続されているアラームポート１１はＶｃｃとなり高電位（Ｈ）である。このときＮＯ接点３３とＣＯＭ接点３２はショートされているので、ＮＯ接点３３と接続されているアラームポート１２は接地電圧となり低電位（Ｌ）である。すなわち、制御部１ではアラームポート１１が低電位（Ｌ）、アラームポート１２が高電位（Ｈ）ならばドアが開かれていると判断し、アラームポート１１が高電位（Ｈ）、アラームポート１２が低電位（Ｌ）ならばドアが閉じられていると判断する。
【００１０】
コネクタ２が接続されていない場合には、基板コネクタ２１とドアスイッチケーブルコネクタ２２が切り離されているので、ドアスイッチ３の状態に関係なくアラームポート１１とアラームポート１２は、ともにＶｃｃとなり高電位（Ｈ）となる。すなわち、コネクタ２が切り離されている場合のアラームポートの電位状態は、ドアが開いている場合のアラームポートの電位状態およびドアが閉じている場合のアラームポートの電位状態とことなるため、従来の誤検出を回避できる。
【００１１】
アラームポート１１とアラームポート１２の電位の状態とドア開閉の状態の対応を図４に示す。アラームポート１１、アラームポート１２がともに低電位（Ｌ）の場合は、アラームポート１１、アラームポート１２がともに接地電圧であることを示しているが、このような状態は、システムが障害になる場合を除けば、通常はシステムの電源がオフとなりＶｃｃが接地電圧となった場合である。アラームポート１１が低電位（Ｌ）で、アラームポート１２が高電位（Ｈ）の状態がドアが開かれている場合で、アラームポート１１が高電位（Ｈ）で、アラームポート１２が低電位（Ｌ）の状態がドアが閉じられている場合である。そしてアラームポート１１が高電位（Ｈ）、アラームポート１２が高電位（Ｈ）の状態がコネクタ２が切り離され未接続の場合である。以上のように本発明ではアラームポート１１、アラームポート１２の電位の組合せで４つの状態が確実に識別できる。
【００１２】
【発明の効果】
本発明によれば、光伝送装置のドア開閉を正しく検出が出来るので、保守が容易となる。
【図面の簡単な説明】
【図１】本発明のドアアラーム検出回路の構成例を示す図である。
【図２】従来のドアアラーム検出回路の構成図である
【図３】ドアスイッチとドア開閉との対応を示す図である。
【図４】アラームポートの状態とドア開閉との対応を示す図である。
【符号の説明】
１  制御部
２  コネクタ
３  ドアスイッチ
１１、１２  アラームポート
２１  基板コネクタ
２２  ドアスイッチケーブルコネクタ
３１  ＮＣ接点
３２  ＣＯＭ接点
３３  ＮＯ接点
【図１】
0004588911.tif 000002
【図２】
0004588911.tif 000003
【図３】
0004588911.tif 000004
【図４】
0004588911.tif 000005